(57)【要約】【課題】複数のモニタを備えた車載モニタシステムにおいて、容易に、一台のリモコン装置によって各モニタを個別に操作できるようにする。【解決手段】車室１００Ａ内のメインモニタ２２と、メインモニタ２２より後方のリアモニタ１３と、操作子の操作に応じて光信号を発するリモコン１２と、メインモニタ２２の前側受光部２２Ｃと、リアモニタ１３の後側受光部１３Ｃと、前側受光部２２Ｃ及び後側受光部１３Ｃによってリモコン１２が発した光信号を受光した場合に、該光信号に従ってメインモニタ２２及びリアモニタ１３の表示状態を制御する制御部とを備え、前側受光部２２Ｃ及び後側受光部１３Ｃは後方を向いて設置され、制御部は、前側受光部２２Ｃにおける受光状態と、後側受光部１３Ｃにおける受光状態との両方に基づいて、光信号をいずれか一方の受光部に対する指示として、この指示に従った動作をする。【選択図】図１
2011160190.tif 000002
【特許請求の範囲】
【請求項１】
車室内の前部に配置された前部モニタと、この前部モニタより後方に、車室の後部を向いて配置された後部モニタと、
操作子を備え、この操作子の操作に応じて光信号を発するリモコン装置と、
前記前部モニタと一体に或いはその近傍に配置された前側受光部と、前記後部モニタと一体に或いはその近傍に配置された後側受光部と、
前記前側受光部及び前記後側受光部によって前記リモコン装置が発した光信号を受光した場合に、該光信号に従って前記前部モニタ及び前記後部モニタの表示状態を制御する制御部と、を備え、
前記前側受光部及び前記後側受光部は後方を向いて設置され、
前記制御部は、前記前側受光部における受光状態と前記後側受光部における受光状態との両方に基づいて、光信号をいずれか一方の受光部に対する指示として、この指示に従った動作をすること、
を特徴とする車載モニタシステム。
【請求項２】
前記制御部は、前記前側受光部及び前記後側受光部の両方が光信号を受光した場合には、前記前側受光部で受光した光信号と前記後側受光部で受光した光信号とを比較し、これらの光信号が一致した場合には該光信号を前記後側受光部に対する指示として判別すること、
を特徴とする請求項１記載の車載モニタシステム。
【請求項３】
前記制御部は、所定時間内に前記前側受光部と前記後側受光部とがそれぞれ光信号を受光した場合に、前記前側受光部で受光した光信号と前記後側受光部で受光した光信号とを比較すること、
を特徴とする請求項２記載の車載モニタシステム。
【請求項４】
前記制御部は、前記前側受光部及び前記後側受光部の両方において光信号を受光した場合には、該光信号を前記後側受光部に対する指示とし、前記前側受光部のみにより光信号を受光した場合は該光信号を前記前側受光部に対する指示とすること、
を特徴とする請求項１記載の車載モニタシステム。
【請求項５】
前記後側受光部に、前記後側受光部より前方の前記車室内の前部から発せられた前記リモコン装置の光信号を遮断する遮蔽物が設けられていること、
を特徴とする請求項１から４のいずれかに記載の車載モニタシステム。
【発明の詳細な説明】
【技術分野】
【０００１】
本発明は、リモコン装置を備えた車載モニタシステムに関する。
【背景技術】
【０００２】
従来、車室の前部に配置されたメインモニタに加えて、車室の後部にリアモニタを備えたシステムが知られている。このようなシステムにおいて、メインモニタとリアモニタとの両方を一台のリモコンで操作できるようにするため、リモコン装置に、操作対象をメインモニタとリアモニタとで切り替える操作切替ボタンを搭載し、この操作切替ボタンの操作により、一台のリモコン装置でメインモニタの操作とリアモニタの操作とを行う手法が提案された（例えば、特許文献１参照）。
【先行技術文献】
【特許文献】
【０００３】
【特許文献１】特開２００７−３２４８２２号公報
【発明の概要】
【発明が解決しようとする課題】
【０００４】
ところで、特許文献１記載の装置は操作対象を切り替えるために上記の操作切替ボタンを切り替える必要があったため、より簡単に、メインモニタとリアモニタとの両方を一台のリモコンで操作できるようにする手法が望まれていた。
本発明は、上述した事情に鑑みてなされたものであり、複数のモニタを備えた車載モニタシステムにおいて、容易に、一台のリモコン装置によって各モニタを個別に操作できるようにすることを目的とする。
【課題を解決するための手段】
【０００５】
上記目的を達成するために、本発明は、車室内の前部に配置された前部モニタと、この前部モニタより後方に、車室の後部を向いて配置された後部モニタと、操作子を備え、この操作子の操作に応じて光信号を発するリモコン装置と、前記前部モニタと一体に或いはその近傍に配置された前側受光部と、前記後部モニタと一体に或いはその近傍に配置された後側受光部と、前記前側受光部及び前記後側受光部によって前記リモコン装置が発した光信号を受光した場合に、該光信号に従って前記前部モニタ及び前記後部モニタの表示状態を制御する制御部とを備え、前記前側受光部及び前記後側受光部は後方を向いて設置され、前記制御部は、前記前側受光部における受光状態と、前記後側受光部における受光状態との両方に基づいて、光信号をいずれか一方の受光部に対する指示として、この指示に従った動作をすることを特徴とする車載モニタシステムを提供する。
この構成によれば、制御部は、前側受光部における受光状態と、後側受光部における受光状態との両方に基づいて、光信号をいずれか一方の受光部に対する指示として、この指示に従った動作をするため、前部モニタ及び後部モニタの何れを操作するかを操作者が選択せずとも、リモコン装置によって前部モニタ及び後部モニタの表示状態を個別に操作できる。
【０００６】
また、上記構成において、前記制御部は、前記前側受光部及び前記後側受光部の両方が光信号を受光した場合には、前記前側受光部で受光した光信号と前記後側受光部で受光した光信号とを比較し、これらの光信号が一致した場合には該光信号を前記後側受光部に対する指示として判別するものとしても良い。
この場合、前側受光部で受光した光信号と後側受光部で受光した光信号とを比較し、これらの光信号が一致した場合に後側受光部に対する指示として判別するため、車室の後部から発せられた同一の光信号が後側受光部及び前側受光部の両方により受光されたという結果を基にして、光信号が後側受光部に対する指示であるとして判別でき、リモコン装置の指示を正確に判別できる。このため、前部モニタ及び後部モニタの何れを操作するかを操作者が選択せずとも、リモコン装置によって前部モニタ及び後部モニタの表示状態を個別に操作できる。
【０００７】
さらに、前記制御部は、所定時間内に前記前側受光部と前記後側受光部とがそれぞれ光信号を受光した場合に、前記前側受光部で受光した光信号と前記後側受光部で受光した光信号とを比較するものとしても良い。
この場合、所定時間内に前側受光部と後側受光部との両方において光信号を受光した場合に前側受光部で受光した光信号と後側受光部で受光した光信号とを比較するため、車室の後部から発せられた同一の光信号が後側受光部及び前側受光部に受光されたということを正しく判別でき、光信号が後側受光部に対する指示であることを正しく判別できる。
【０００８】
また、前記制御部は、前記前側受光部及び前記後側受光部の両方において光信号を受光した場合には、該光信号を前記後側受光部に対する指示とし、前記前側受光部のみにより光信号を受光した場合は該光信号を前記前側受光部に対する指示とするものとしても良い。
この場合、車室の後部からリモコン装置が操作され、前側受光部及び後側受光部の両方において光信号を受光した場合には、制御部は、後側受光部に対する指示として動作する。車室の前部からリモコン装置が操作され、前側受光部のみにより光信号を受光した場合には、制御部は、前側受光部に対する指示として動作する。このため、前部モニタ及び後部モニタの何れを操作するかを操作者が選択せずとも、リモコン装置によって前部モニタ及び後部モニタを個別に操作できる。
また、前記後側受光部に、前記後側受光部より前方の前記車室内の前部から発せられた前記リモコン装置の光信号を遮断する遮蔽物が設けられていても良い。
この場合、後側受光部に設けた遮蔽物によって車室内の前部から発せられた光信号が遮断されるため、車室内の前部からの光信号が後側受光部に検出されることを防止できる。
【発明の効果】
【０００９】
本発明によれば、車載モニタシステムが備える前部モニタと後部モニタの各々を、どのモニタを操作するのかを操作者が選択せずとも、リモコン装置によって個別に操作できる。
【図面の簡単な説明】
【００１０】
【図１】第１の実施の形態に係る車載モニタシステムの配置状態の概略を示す図である。
【図２】車載モニタシステムの概要構成を示すブロック図である。
【図３】メインユニットの動作とリモコンによる操作との対応関係の一例を示す図表である。
【図４】メインユニット及びリアモニタの構成を示す概略図である。
【図５】後側受光部を側方から見た一部破断断面図である。
【図６】リモコンの操作に対応するメインユニットの動作を示すフローチャートである。
【図７】リモコンが操作された際の処理を示すフローチャートである。
【図８】第２の実施の形態に係る車載モニタシステムの動作を示すフローチャートである。
【発明を実施するための形態】
【００１１】
以下、図面を参照して本発明の実施の形態について説明する。
［第１の実施の形態］
図１は、第１の実施の形態に係る車載モニタシステムの車両における配置状態の概略を示す図である。
【００１２】
車載モニタシステム１０は、自動車１００の車室１００Ａに設置された各部により構成され、詳細には、車室１００Ａの前部に位置する前部座席１０１側に配置されたメインユニット１１と、車室１００Ａの後部に位置する後部座席１０２側に配置され、後部座席１０２に着座した乗員が使用するリアモニタ１３（後部モニタ）と、車内に音声を出力するスピーカー１５（図２）とを備えて構成され、メインユニット１１から離れた位置でメインユニット１１を遠隔操作するための光信号を送信するリモコン１２を備えている。メインユニット１１は、運転者や助手席に着座する乗員が使用するメインモニタ２２を備えている。また、リモコン１２は、赤外線領域の光信号を送信するリモコン装置である。
【００１３】
メインユニット１１は、前部座席１０１の前方に配置されたダッシュボードやコンソールボックス等（図示略）に設置されて車幅方向の中央に位置し、運転席と助手席との間に形成された空間Ｋを介して後部座席１０２側に臨んでいる。また、リアモニタ１３は、メインモニタ２２及び前部座席１０１の後方において空間Ｋの後方に位置し、車幅方向においてはメインモニタ２２と重なるように略同一の位置に、車室１００Ａの前後方向に並んで配置されている。
【００１４】
この車載モニタシステム１０は、ナビゲーション装置として機能し、経路案内用の画面をメインモニタ２２に表示させるとともに、経路案内用音声をスピーカー１５から出力する。また、車載モニタシステム１０は、ラジオ受信機として機能し、選局用の画面をメインモニタ２２に表示するとともに受信中のラジオ放送の音声をスピーカー１５から出力する。車載モニタシステム１０は、ＣＤ及びＤＶＤのプレーヤーとして機能し、ＣＤ及びＤＶＤに記録された映像データや音声データを再生して、メインモニタ２２及びリアモニタ１３に映像を表示し、メインモニタ２２に対応した音声をスピーカー１５から出力し、リアモニタ１３に対応した音声をリアモニタ１３が有するスピーカー（図示略）から出力する。また、車載モニタシステム１０は、ＵＳＢメモリや携帯型音楽プレーヤーが接続されるＵＳＢインターフェースを備え、このＵＳＢインターフェースに接続された機器に記録された映像データや音声データを、メインモニタ２２、スピーカー１５及びリアモニタ１３のスピーカーから再生出力する。さらに、車載モニタシステム１０は、テレビ受像機としても機能し、テレビ放送の映像をメインモニタ２２及びリアモニタ１３に表示出力し、音声をスピーカー１５及びリアモニタ１３のスピーカーから出力する。また、自動車１００の後退動作時に、車載モニタシステム１０は、自動車１００の車体後端に設けられたバックカメラ６８（図２）の撮影画像をメインモニタ２２に表示する。
なお、車室１００Ａ内のスピーカーの配置は任意であり、スピーカー１５及びリアモニタ１３のスピーカーの他にスピーカーを配置しても良い。
【００１５】
このように、車載モニタシステム１０は、車室１００Ａにおいて運転者及び乗員に対して各種の映像及び音声を出力する。メインユニット１１は、一台のリモコン１２によって操作される。このリモコン１２は、図１に示すように、リモコン１２は助手席に着座した乗員が使用することもあるし、後部座席１０２に着座した乗員が使用することもある。
車載モニタシステム１０は、リモコン１２が発する赤外線信号を受光するため、メインユニット１１に設けられたメインモニタ２２に、メインモニタ２２の表示面と同じ面に露出する前側受光部２２Ｃを備え、リアモニタ１３の表示面と同じ面に後側受光部１３Ｃを備えている。前側受光部２２Ｃは前部座席１０１からリモコン１２が赤外線信号を発した場合にこれを受光し、後側受光部１３Ｃは後部座席１０２からリモコン１２が赤外線信号を発した場合に、この赤外線信号を受光する。
【００１６】
図２は、車載モニタシステムの概要構成を示すブロック図である。
この図２に示すように、メインユニット１１は、メインユニット１１の全体を制御するＣＰＵ２３（制御部）と、映像信号をメインモニタ２２に出力する映像信号処理装置６２と、メインユニット１１に入力される複数の映像ソースを切り替えるビデオスイッチ６３と、メインユニット１１に入力される複数の音声ソースを切り替えるオーディオスイッチ６４とを備えている。また、メインユニット１１は、リアモニタ１３を接続するための外部出力端子７１を備えている。外部出力端子７１は、映像信号を出力する外部映像出力端子７１Ａと、音声信号を出力する外部音声出力端子７１Ｂとを有し、これら外部映像出力端子７１Ａ及び外部音声出力端子７１Ｂには、ケーブル７９を介してリアモニタ１３が接続される。リアモニタ１３は、ケーブル７９を介してメインユニット１１から受信した映像信号及び音声信号に基づいて映像及び音声を再生出力するサブモニタである。
ＣＰＵ２３には、ＣＰＵ２３が実行する各種制御プログラムを予め格納したＲＯＭ２４、及び、ＣＰＵ２３が実行するプログラムや処理対象の各種データを一時的に記憶するＲＡＭ２５が接続されている。
【００１７】
ビデオスイッチ６３及びオーディオスイッチ６４には、各種の映像ソース及び音声ソースを有する映像／音声ソース部６５が接続されている。
映像／音声ソース部６５は、ＴＶチューナー６５Ａ、ＣＤ／ＤＶＤ再生装置６５Ｂ、ラジオチューナー６５Ｃ、及び、ＵＳＢインターフェース部６５Ｄを備えている。ＴＶチューナー６５Ａにより受信したテレビ放送の映像及び音声、ＣＤ／ＤＶＤ再生装置６５ＢによってＣＤまたはＤＶＤから読み取った映像及び音声、ラジオチューナー６５Ｃにより受信したラジオ放送の音声、及び、ＵＳＢインターフェース部６５Ｄに接続された外部の機器（図示略）から入力される映像及び／または音声は、それぞれ、デジタル信号をアナログ信号に変換するＤ／Ａ変換部（図示略）を介して、ビデオスイッチ６３及びオーディオスイッチ６４に入力される。
なお、ラジオチューナー６５Ｃが、音声とともに放送される文字や画像を受信可能な場合は、この文字または画像を映像ソースとしてビデオスイッチ６３に入力しても良い。
【００１８】
また、ビデオスイッチ６３及びオーディオスイッチ６４には、外部入力端子６６の外部映像入力端子６６Ａ及び外部音声入力端子６６Ｂが、それぞれ接続されている。外部映像入力端子６６Ａ及び外部音声入力端子６６Ｂには、ＤＶＤ再生装置等の外部の装置（図示略）を接続可能であり、これらの装置から入力されるアナログ映像信号及びアナログ音声信号は、そのままビデオスイッチ６３及びオーディオスイッチ６４に入力される。
オーディオスイッチ６４は、映像／音声ソース部６５が備える各種音声ソース及び外部音声入力端子６６Ｂから入力される様々なアナログ音声信号のいずれか１つを選択して、増幅回路７２を介して、外部音声出力端子７１Ｂ及び電子ボリューム７３に出力する。また、オーディオスイッチ６４は、異なる２系統の音声信号を独立して同時に出力可能である。ここでは、電子ボリューム７３及び外部音声出力端子７１Ｂは、メインモニタ２２及びリアモニタ１３で再生される各映像に連動した音声信号を出力する。
電子ボリューム７３は、増幅回路７２から入力された音声信号を所定のゲインで増幅してパワーＩＣ７４に出力し、パワーＩＣ７４は所定のゲインでさらに音声信号を増幅してスピーカー１５を駆動し、スピーカー１５から音声を出力させる。
【００１９】
ビデオスイッチ６３は、映像／音声ソース部６５が備える各種映像ソース及び外部映像入力端子６６Ａから入力される様々なアナログ映像信号のいずれか１つを選択して、増幅回路７５を介して、映像信号処理装置６２及び外部映像出力端子７１Ａに出力する。ビデオスイッチ６３は、異なる２系統の映像信号を独立して同時に増幅回路７５に出力可能である。
【００２０】
ビデオスイッチ６３に接続される増幅回路７５は２系統を同時に出力可能であり、一方の出力系統は映像信号処理装置６２に接続され、他方の出力系統は外部映像出力端子７１Ａに接続されている。
映像信号処理装置６２は、増幅回路７５から入力されるアナログ映像信号をデジタル信号に変換するＡ／Ｄ変換部７６、及び、メインモニタ２２に任意の文字や記号を表示させるＯＳＤ（On Screen Display）処理部７７を有する。このＯＳＤ処理部７７には、経路案内を実行するナビゲーションモジュール７８が接続され、このナビゲーションモジュール７８から経路案内用の地図を表示するための映像信号がＯＳＤ処理部７７に出力される。ＯＳＤ処理部７７は、ナビゲーションモジュール７８から入力された映像信号と、ビデオスイッチ６３から入力された映像信号とをもとに、経路案内用の画面を映像ソースからの映像に重ねて合成する処理を行い、メインモニタ２２に出力する。また、ＯＳＤ処理部７７は、ＣＰＵ２３の指示に基づいてメインユニット１１を操作するためのメニュー画面やラジオ選局用の選局画面等を表示する場合に、これら画面を映像ソースからの映像あるいは所定の背景画像に重ねて合成する処理を行い、メインモニタ２２に出力する。これにより、メインモニタ２２には、経路案内用の地図やメニュー画面等が表示される。
【００２１】
また、ビデオスイッチ６３には、車両の後方の映像を撮影するバックカメラ６８が接続されている。バックカメラ６８は、自動車１００の車体後端部のバンパーやトランクリッドに設けられたカメラであって、ＣＣＤやＣＭＯＳ等のイメージセンサにより撮影した撮影画像データを、逐次ビデオスイッチ６３に出力する。ビデオスイッチ６３は、自動車１００が後進ギヤに切り替えられると、バックカメラ６８への給電を開始するとともに、バックカメラ６８から入力される映像信号を、増幅回路７５を介して映像信号処理装置６２に出力する。このため、自動車１００が後退するときには、メインモニタ２２に自動車１００の後方を撮影した映像が表示される。
【００２２】
そして、ＣＰＵ２３には、メインモニタ２２に一体に設けられた前側受光部２２Ｃが接続される。前側受光部２２Ｃは、リモコン１２から送信された赤外線信号を受光して復調し、リモコン１２における操作内容を示す操作信号を生成して、ＣＰＵ２３に出力する。
また、ＣＰＵ２３には、リアモニタ１３が備える後側受光部１３Ｃがケーブル５０を介して接続される。後側受光部１３Ｃは、前側受光部２２Ｃと同様にリモコン１２から送信された赤外線信号を受光して復調し、リモコン１２における操作内容を示す操作信号を生成して、ＣＰＵ２３に出力する。
ＣＰＵ２３は、前側受光部２２Ｃ及び後側受光部１３Ｃから入力される操作信号に基づいて、リモコン１２の操作による指示の内容を判別し、この指示に従って、ビデオスイッチ６３、オーディオスイッチ６４、映像／音声ソース部６５、及び、映像信号処理装置６２等を制御することで、メインモニタ２２及びリアモニタ１３の表示状態を制御する。
【００２３】
図２には、平板状の筐体に多数のキーを備えたリモコン１２を例示する。このリモコン１２は、複数の操作キー１２Ａ（操作子）を有し、その先端には、赤外光ＬＥＤ（図示略）と、この赤外光ＬＥＤを発光させる駆動回路（図示略）とで構成される送信部１２Ｂを備えている。リモコン１２は、操作キー１２Ａの操作に応じて、押圧操作された操作キー１２Ａに対応する操作信号（赤外線光信号）を、その先端の送信部１２Ｂから送信する。操作キー１２Ａとしては、例えば、図２に示すように、メインユニット１１で再生する映像ソース及び／または音声ソースを切り替えるソースキー３１や、メインモニタ２２にナビゲーション機能やＤＶＤ再生機能に関するメニュー画面を表示させるＭＥＮＵキー３２等がある。
【００２４】
図３は、メインユニット１１の動作と、リモコン１２による操作との対応関係の一例を示す図表である。
図３の例では、リモコン１２の操作キー１２Ａは、十字キー、ＭＥＮＵキー３２（図２）、決定キー、戻るキー、ＲＥＣキー、ＲＥＰＥＡＴキー、ＳＣＡＮキー、ＲＡＮＤＯＭキー等を備えている。
このうち、十字キーは、ナビゲーション機能の実行時にナビゲーションモジュール７８の出力に基づくナビゲーション画面の地図をスクロールさせたり、ＣＤ／ＤＶＤの再生時に目的のトラック（チャプタやオーディオトラック）を選択したりする場合に操作されるキーである。ＭＥＮＵキー３２は、各メニュー画面等を表示させる場合に操作されるキーであり、決定キーはメニュー画面等で対象を決定する場合に操作されるキーであり、戻るキーは、メニュー画面等を非表示にする場合に操作されるキーであり、ＲＥＣキーはテレビ放送の受信中に、受信中のテレビ放送の映像及び音声の録画を指示する場合に操作されるキーである。また、ＲＥＰＥＡＴキーはＣＤ／ＤＶＤ等の再生時にトラックのリピート再生を指示する場合に操作されるキーであり、ＳＣＡＮキーはナビゲーション機能の実行時にリルートを指示する場合に操作されるキーであり、ＲＡＮＤＯＭキーはＣＤ／ＤＶＤ等のトラックのランダム再生を指示する場合に操作されるキーである。
【００２５】
また、操作キー１２Ａの各キーは、現在選択されているソースに応じた操作内容が割り当てられる。すなわち、同じ操作キーであっても、操作時に選択されているソースによって異なる操作内容が割り当てられている。例えば、映像及び音声ソースとしてナビゲーション機能の映像及び音声が選択され、メインモニタ２２にナビゲーションの画面が表示されている状態で、十字キーが操作されると、地図がスクロールされるが、映像及び音声ソースとしてＤＶＤが選択されている状態で十字キーが操作されると、再生するＤＶＤのトラックの選択が行われる。
また、操作時に選択されているソースによって、操作内容が割り当てられないこともある。例えば、ＤＶＤがソースとして選択されている間には、戻るキーには操作内容が割り当てられていないので、この間に戻るキーが操作されても何の処理も実行されない。
【００２６】
ところで、ＣＰＵ２３は、同一のキー操作が操作されたときに、リモコン１２から送信された赤外線信号が、リアモニタ１３に向けて送信された場合と、メインモニタ２２に向けて送信された場合とで、異なる動作を実行することがある。
例えば、リモコン１２は、ビデオスイッチ６３及びオーディオスイッチ６４による映像／音声ソースの切替を指示する場合に操作されるソースキー３１（図２）を備えており、ＣＰＵ２３は、ソースキー３１（図２）の操作に対応する操作信号が入力されると、ビデオスイッチ６３及びオーディオスイッチ６４を制御して、再生する映像ソース及び音声ソースを切り替えさせる。
【００２７】
詳細には、ＣＰＵ２３は、ソースキー３１の操作に対応する光信号を前側受光部２２Ｃのみにより受光し、前側受光部２２Ｃから操作信号が入力された場合には、メインモニタ２２に表示される映像を、ナビゲーション機能の映像、ラジオ放送受信に係る操作用メニュー画面、ＣＤの再生操作用メニュー画面、ＤＶＤの映像、テレビ放送の映像、ＵＳＢインターフェース部６５Ｄに接続された機器から読み取った映像、ＵＳＢインターフェース部６５Ｄに接続された機器からの音声再生に係る操作用メニュー画面、外部映像入力端子６６Ａに接続された機器から入力された映像、及び、外部音声入力端子６６Ｂに接続された機器からの音声再生に係る操作用メニュー画面の順に、切り替える。ラジオ放送受信やＣＤの再生、ＵＳＢインターフェース部６５Ｄに接続された機器からの音声再生に係る操作用メニュー画面には、ＯＳＤ処理部７７によってラジオの選局メニューや音楽（曲目）リスト等が表示される。
【００２８】
これに対し、ＣＰＵ２３は、ソースキー３１の操作に対応する光信号を後側受光部１３Ｃのみにより受光し、後側受光部１３Ｃから操作信号が入力された場合には、リアモニタ１３に表示される映像を、ＤＶＤの映像、テレビ放送の映像、ＵＳＢインターフェース部６５Ｄに接続された機器から読み取った映像、及び、外部映像入力端子６６Ａに接続された機器から入力された映像の順に、切り替える。リアモニタ１３にはナビゲーション機能及びバックカメラに係る画面は表示されないため、これらを映像ソースとする画面への切替は行われない。また、図２に示すようにＯＳＤ処理部７７の出力はメインモニタ２２に限られるため、ＯＳＤ処理部７７により処理された画面はリアモニタ１３に表示されない。さらに、ラジオ放送、ＣＤ再生、及び、ＵＳＢインターフェース部６５Ｄに接続された機器からの音声再生など、音声を再生する動作に関して、リアモニタ１３に表示すべき画面は用意されていないため、これらの機能に関する画面への切替は行われない。
【００２９】
図４は、メインユニット１１及びリアモニタ１３の構成を示す概略図である。
上述のように、メインモニタ２２は車室１００Ａ内の前部に配置され、リアモニタ１３はメインモニタ２２より後方に位置して、車室１００Ａの後部を向いて配置される。
メインモニタ２２は、前部座席１０１に着座した乗員（操作者）に対向して表示画面２２Ｂが配置され、この表示画面２２Ｂの枠体としてのフロントパネル２２Ａには、表示画面２２Ｂの下方に前側受光部２２Ｃが一体となって埋設されている。また、リアモニタ１３は、後部座席１０２に着座した乗員に対向して表示画面１３Ｂを備え、表示画面１３Ｂの枠体としてのフロントパネル１３Ａには、表示画面１３Ｂの下方に後側受光部１３Ｃが一体となって埋設されている。このように、前側受光部２２Ｃは前部座席１０１に臨み、後側受光部１３Ｃは後部座席１０２に臨んでいる。
【００３０】
図５は、後側受光部１３Ｃを側方から見た一部破断断面図である。
後側受光部１３Ｃは、リモコン１２の光信号を受光する受光ユニット５１と、受光ユニット５１が実装される基板５２とを有し、図中符号Ｐ１で示すようにフロントパネル１３Ａの側から入光する光信号を受光ユニット５１で受光することで、リモコン１２が送信した赤外線信号を受信する。基板５２において受光ユニット５１が配置された面と反対側の面、すなわち、基板５２における前部座席１０１側の面には、赤外領域を含む波長領域の光を遮断するフィルタ５３（遮蔽物）が設けられている。また、基板５２における前部座席１０１側の面（背面）は、リアモニタ１３の筐体１３Ｄによって覆われている。
【００３１】
このように、基板５２にフィルタ５３を設けたため、仮に、図中符号Ｐ２で示すように、リモコン１２によって前部座席１０１側からリアモニタ１３の背面に向けて光信号が発せられ、筐体１３Ｄの隙間等から光信号が内部に侵入したとしても、この光信号はフィルタ５３によって遮断される。これにより、リモコン１２の角度によって前部座席１０１側からリアモニタ１３の背面に向けて赤外線信号が発せられたとしても、この赤外線信号を後側受光部１３Ｃが検出することはない。
【００３２】
従って、図１に示したように、前部座席１０１に着座した乗員がリモコン１２をメインモニタ２２に向けて操作した場合には、前側受光部２２Ｃのみによって赤外線信号が受信される。これに対し、後部座席１０２に着座した乗員がリモコン１２を操作し、赤外線信号が後部座席１０２から前に向けて送信されると、この赤外線信号は後側受光部１３Ｃと前側受光部２２Ｃの両方により受信される。
本実施の形態では、リモコン１２は、一つだけ設けても、同一の仕様のリモコン１２を前部座席１０１及び後部座席１０２にそれぞれ設けても良く、この同一の仕様のリモコン１２をリアモニタ１３に向けて操作した場合と、メインモニタ２２に向けて操作した場合とで、異なる動作がなされる。このため、メインユニット１１のＣＰＵ２３は、後側受光部１３Ｃと前側受光部２２Ｃとが受信した赤外線信号がどちらに向けて操作されたものかを特定する必要がある。そこで、ＣＰＵ２３は、後側受光部１３Ｃと前側受光部２２Ｃの両方における受信状態と受信のタイミングとに基づいて、後側受光部１３Ｃと前側受光部２２Ｃが受信した赤外線信号が、後側受光部１３Ｃに向けて操作されたものか、前側受光部２２Ｃに向けて操作されたものかを判別し、この判別結果に対応する動作を行う。
【００３３】
図６は、リモコン１２の操作に対応するメインユニット１１の動作を示すフローチャートである。
ＣＰＵ２３は、リモコン１２が操作され、この操作に伴う赤外線光信号が前側受光部２２Ｃによって受信されたか否かを判別する（ステップＳ１１）。
ステップＳ１１において、前側受光部２２Ｃで光信号が受信されたと判別した場合（ステップＳ１１：Ｙｅｓ）、ＣＰＵ２３は、受信した信号をＲＡＭ２５にいったん記憶し（ステップＳ１２）、後側受光部１３Ｃが光信号を前側受光部２２Ｃと同時に受信したか否かを判別する（ステップＳ１３）。ここで、ＣＰＵ２３は、前側受光部２２Ｃが光信号を受信してから予め設定された所定時間内に後側受光部１３Ｃが光信号を受信した場合に、後側受光部１３Ｃ及び前側受光部２２Ｃが光信号を同時に受信したと判別する。この所定時間は、後部座席１０２側から操作されたリモコン１２の光信号が後側受光部１３Ｃに達してから、この光信号が空間Ｋを通過して前側受光部２２Ｃに達するまでの時間を時間Ｔとした場合、ＣＰＵ２３等による光信号の判別や処理の時間を考慮して時間Ｔよりも長めに設定されると共に、リモコン１２の操作のレスポンスを低下させない程度に短く設定され、ＲＯＭ２４に記憶されている。
【００３４】
ステップＳ１３において、光信号が前側受光部２２Ｃ及び後側受光部１３Ｃで同時に受信された場合（ステップＳ１３：Ｙｅｓ）、ＣＰＵ２３は、後側受光部１３Ｃが受信した光信号と、ＲＡＭ２５に記憶していた信号とを比較し、前側受光部２２Ｃ及び後側受光部１３Ｃが同時に受信した光信号の内容が一致するか否かを判別する（ステップＳ１４）。光信号の内容が一致すると判別した場合（ステップＳ１４：Ｙｅｓ）、ＣＰＵ２３は、この光信号が示す操作内容がリアモニタ１３に関する操作であるか否かを判別する（ステップＳ１５）。すなわち、ステップＳ１５では、上記光信号が、リアモニタ１３に表示中の映像の映像ソースに対応した操作であって、その操作内容に従って何らかの動作が可能であるか否かを判別している。
【００３５】
例えば、図３の例ではリアモニタ１３にＤＶＤの映像が表示されている状態で、十字キーが操作されると、メインユニット１１は、この操作に応じてＤＶＤのトラックを変更する動作を行えるが、ＤＶＤの映像が表示されている状態で、リアモニタ１３に対して戻るキーが操作されても、該当する動作が割り当てられていないので、メインユニット１１は何ら動作を行えない。このように、メインユニット１１は、リアモニタ１３について実行中の動作とリモコン１２において操作されたキーに割り当てられた操作内容とをもとに、リアモニタ１３に関する操作か否かを判別する。
【００３６】
そして、光信号がリアモニタ１３に関する操作であると判別した場合（ステップＳ１５：Ｙｅｓ）、ＣＰＵ２３は、光信号に対応した機能を実行する制御を行い（ステップＳ１６）、リアモニタ１３の表示状態を変更する。このように、ＣＰＵ２３は、ステップＳ１４で光信号の内容が一致すると判別した場合は、その光信号を後側受光部１３Ｃに対する指示として判別し、リモコン１２が後部座席１０２側から操作されたと判別するため、後部座席１０２に着座している乗員がリモコン１２を操作し、このときの光信号が前側受光部２２Ｃでも受信されたとしても、メインモニタ２２が誤って操作されることが無い。
【００３７】
また、ＣＰＵ２３は、ソースキー３１による光信号を後側受光部１３Ｃに対する指示として判別した場合、ラジオ、ＣＤ、及び、ＵＳＢ（音声）を飛ばして、ＤＶＤ、ＴＶ、ＵＳＢ（映像）、及び、外部入力の順にリアモニタ１３に表示するソースを切り替える。このため、音声以外に再生する内容を持たず、ＯＳＤ処理部７７による表示も反映されないラジオ、ＣＤ、及び、ＵＳＢ（音声）のソースがリアモニタ１３に表示されることがなく、ソースの切り替えをスムーズに行うことができる。
光信号がリアモニタ１３に関する操作ではないと判別した場合（ステップＳ１５：Ｎｏ）、ＣＰＵ２３は、何も実行せずに処理を終了する。
【００３８】
ステップＳ１４において光信号の内容が一致しないと判別した場合（ステップＳ１４：Ｎｏ）、ＣＰＵ２３は、メインモニタ２２とリアモニタ１３とに対し、リモコン１２の光信号に応じた機能をそれぞれ個別に実行する（ステップＳ１７）。すなわち、前側受光部２２Ｃ及び後側受光部１３Ｃで異なる光信号が同時に受信された場合、ＣＰＵ２３は、前部座席１０１及び後部座席１０２で複数のリモコン１２によってそれぞれ異なる操作が同時に実行されたものと判別し、メインモニタ２２及びリアモニタ１３でそれぞれ個別に、操作された操作キー１２Ａの機能を実行する。
【００３９】
また、ステップＳ１３において、光信号が前側受光部２２Ｃ及び後側受光部１３Ｃで同時に受信されたと判別しなかった場合（ステップＳ１３：Ｎｏ）、ＣＰＵ２３は、この光信号がメインモニタ２２に関する操作であるか否かを判別する（ステップＳ１８）。ステップＳ１８では、上記光信号が、リモコン１２が操作された際にメインモニタ２２で動作しているソース、すなわち、ナビゲーション、ラジオ、ＣＤ、ＤＶＤ、ＴＶ、ＵＳＢ（映像）、ＵＳＢ（音声）、及び、外部入力のソースのいずれかに対応した操作であるかを判別している。
そして、光信号がメインモニタ２２に関する操作であると判別した場合（ステップＳ１８：Ｙｅｓ）、ＣＰＵ２３は、光信号に対応した機能を実行する制御を行い（ステップＳ１９）、メインモニタ２２の表示状態を変更する。このように、前側受光部２２Ｃで光信号が受信された際に、同時に後側受光部１３Ｃで光信号が受信されなかった場合、すなわち、前側受光部２２Ｃのみで光信号を受信した場合、ＣＰＵ２３は、光信号を前側受光部２２Ｃに対する指示として判別し、前部座席１０１でリモコン１２の操作が行われたものと判別し、光信号に基づいてメインモニタ２２で操作キー１２Ａの機能を実行する。
光信号がメインモニタ２２に関する操作ではないと判別した場合（ステップＳ１８：Ｎｏ）、すなわち、例えば、ソースとしてナビゲーションが選択されている状態でＲＥＣキーが操作された場合、ＣＰＵ２３は何も実行せずに処理を終了する。
【００４０】
また、ステップＳ１１において前側受光部２２Ｃで光信号が受信されなかった場合（ステップＳ１１：Ｎｏ）、ＣＰＵ２３は、リアモニタ１３の後側受光部１３Ｃが光信号を受信したか否かを判別する（ステップＳ２０）。リアモニタ１３の後側受光部１３Ｃが光信号を受信した場合（ステップＳ２０：Ｙｅｓ）、ステップＳ１５の処理に移行し、この光信号がリアモニタ１３に関する操作であるか否かを判別し、光信号がリアモニタ１３に関する操作であると判別した場合（ステップＳ１５：Ｙｅｓ）、ＣＰＵ２３は、光信号に対応した機能を実行する制御を行い（ステップＳ１６）、リアモニタ１３の表示状態を変更する。このように、後側受光部１３Ｃのみで光信号が受信された場合、ＣＰＵ２３は、後部座席１０２でリモコン１２の操作が行われたものと判別し、光信号に基づいてリアモニタ１３での表示状態を変更する。
光信号がリアモニタ１３に関する操作ではないと判別した場合（ステップＳ１５：Ｎｏ）、ＣＰＵ２３は何も実行せずに処理を終了する。
また、ステップＳ２０において後側受光部１３Ｃが光信号を受信していないと判別した場合、（ステップＳ２０：Ｎｏ）、ステップＳ１１に戻る。
【００４１】
図７は、図６のステップＳ１７の処理を詳細に示すフローチャートである。
上述のように、ＣＰＵ２３は、ステップＳ１４において光信号の内容が一致しないと判別した場合はステップＳ１７に移行する。このステップＳ１７で、ＣＰＵ２３は、前側受光部２２Ｃで受信された光信号の受信内容を取得し（ステップＳ３１）、ステップＳ１８と同様にして、この受信内容がメインモニタ２２に関する操作であるか否かを判別する（ステップＳ３２）。受信内容がメインモニタ２２に関する操作であると判別した場合（ステップＳ３２：Ｙｅｓ）、ＣＰＵ２３は、この受信内容を実行対象に設定する（ステップＳ３３）。
次いで、ＣＰＵ２３は後側受光部１３Ｃで受信された光信号の受信内容を取得し（ステップＳ３４）、ステップＳ１５と同様にして、この受信内容がリアモニタ１３に関する操作であるか否かを判別する（ステップＳ３５）。受信内容がリアモニタ１３に関する操作であると判別した場合（ステップＳ３５：Ｙｅｓ）、ＣＰＵ２３は、この受信内容を実行対象に設定する（ステップＳ３６）。
【００４２】
そして、ＣＰＵ２３は、ステップＳ３３及びステップＳ３６で実行対象に設定された受信内容の操作をメインモニタ２２及びリアモニタ１３でそれぞれ実行し（ステップＳ３７）、処理を終了する。
ステップＳ３２において受信内容がメインモニタ２２に関する操作でないと判別した場合（ステップＳ３２：Ｎｏ）、ＣＰＵ２３は、ステップＳ３３の処理を飛ばして、ステップＳ３４の処理に移行する。
また、ステップＳ３５において受信内容がリアモニタ１３に関する操作でないと判別した場合（ステップＳ３２：Ｎｏ）、ＣＰＵ２３は、ステップＳ３６の処理を飛ばして、ステップＳ３７の処理に移行する。
このように、前側受光部２２Ｃ及び後側受光部１３Ｃで同時に受光された光信号の内容が一致しない場合、ＣＰＵ２３は、前側受光部２２Ｃ及び後側受光部１３Ｃで受光された光信号の指示を、それぞれメインモニタ２２及びリアモニタ１３で個別に操作キー１２Ａの指示を実行する。このため、前部座席１０１及び後部座席１０２で２台のリモコン１２によって互いに異なる指示が同時に出され、前側受光部２２Ｃ及び後側受光部１３Ｃで同時に異なる光信号を受信した場合においても、各リモコン１２の操作による指示を確実に実行できる。
【００４３】
車載モニタシステム１０では、ＤＶＤに記録された映像やテレビ放送の映像等、メインモニタ２２及びリアモニタ１３で同時にソースとして選択可能な映像ソースがメインモニタ２２及びリアモニタ１３で同時に再生されている間に、リモコン１２によってモニタの表示状態を変更する操作が指示されると、メインモニタ２２及びリアモニタ１３の両方で同時に表示が変更される。例えば、メインモニタ２２及びリアモニタ１３で共にソースとしてＤＶＤの映像が選択されていた場合に、リモコン１２が有する十字キーが操作されると、メインモニタ２２及びリアモニタ１３の両方において、再生されるトラックの変更が実行される。また、ＴＶチューナー６５Ａが２つのモニタ用にチューナーを２つ備えたダブルチューナータイプである場合、メインモニタ２２及びリアモニタ１３に別々にＴＶのソースを供給でき、一方のモニタがリモコン１２の十字キーによりチャンネルを変更されても、他方のモニタは影響を受けない。
【００４４】
本実施の形態では、ＣＰＵ２３は、前側受光部２２Ｃのみで光信号が受光された場合には、光信号に基づいてメインモニタ２２の表示を制御し、後側受光部１３Ｃのみで光信号が受光された場合には、光信号に基づいてリアモニタ１３の表示を制御し、前側受光部２２Ｃ及び後側受光部１３Ｃで所定時間内にそれぞれ光信号が受光され、受光された光信号が一致した場合には、その光信号は後側受光部１３Ｃに対する指示として判別し、リアモニタ１３の表示を制御する。これにより、前部座席１０１から前側受光部２２Ｃに送信された光信号、及び、後部座席１０２から後側受光部１３Ｃに送信された光信号に基づいてメインモニタ２２及びリアモニタ１３の表示を制御できると共に、リアモニタ１３を操作するために後部座席１０２側から発せられたリモコン１２の光信号が、リモコン１２が操作された際におけるリモコン１２の角度等の影響によって、後側受光部１３Ｃ及び前側受光部２２Ｃの両方に受信された場合には、リアモニタ１３の表示が制御される。つまり、前部座席１０１側でリモコン１２を操作した場合にはメインモニタ２２の表示が制御され、後部座席１０２でリモコン１２を操作した場合にはリアモニタ１３の表示が制御されるため、メインモニタ２２及びリアモニタ１３のいずれを操作するのかを乗員が選択せずとも、メインモニタ２２及びリアモニタ１３をリモコン１２によって個別に操作できる。
【００４５】
また、基板５２にフィルタ５３を設け、前部座席１０１側で発せられたリモコン１２の光信号が後側受光部１３Ｃに受光されないようにしたため、前部座席１０１の乗員がメインモニタ２２の表示を操作しようとしてリモコン１２を操作した場合に、誤ってリアモニタ１３の表示を操作してしまうことが無い。
また、後部座席１０２からメインモニタ２２の表示を操作したい場合には、後側受光部１３Ｃよりも前方にリモコン１２の送信部１２Ｂを位置させてリモコン１２を操作することで、前側受光部２２Ｃのみに光信号を送信でき、メインモニタ２２の表示を操作できる。
【００４６】
さらに、メインユニット１１内にＣＰＵ２３、ビデオスイッチ６３及びオーディオスイッチ６４を設け、後側受光部１３Ｃをケーブル５０によってＣＰＵ２３に接続し、ビデオスイッチ６３及びオーディオスイッチ６４の出力をケーブル７９を介してリアモニタ１３に送るため、後側受光部１３Ｃで受信した指示をＣＰＵ２３によって処理してリアモニタ１３の表示を制御できる。このため、リアモニタ１３にＣＰＵ２３、ビデオスイッチ６３及びオーディオスイッチ６４を設ける必要がなく、リアモニタ１３をリモコン１２で操作可能としつつ、リアモニタ１３の構造を簡単にできる。
【００４７】
以上説明したように、本発明を適用した実施の形態によれば、ＣＰＵ２３は、前側受光部２２Ｃにおける受光状態と、後側受光部１３Ｃにおける受光状態との両方に基づいて、リモコン１２の光信号をいずれか一方の受光部に対する指示として、この指示に従った動作をする。すなわち、ＣＰＵ２３は、前側受光部２２Ｃのみで光信号が受光された場合には、メインモニタ２２の表示を制御し、後側受光部１３Ｃのみで光信号が受光された場合には、リアモニタ１３の表示を制御し、前側受光部２２Ｃ及び後側受光部１３Ｃの両方で光信号が受光され、受光された光信号が一致した場合には、リアモニタ１３の表示を制御する。これにより、メインモニタ２２及びリアモニタ１３のいずれを操作するのかを乗員が選択せずとも、リモコン１２によってメインモニタ２２及びリアモニタ１３を個別に操作できる。
【００４８】
また、ＣＰＵ２３は、前側受光部２２Ｃで受光した光信号と後側受光部１３Ｃで受光した光信号とを比較し、これらの光信号が一致した場合に後側受光部１３Ｃに対する指示として判別するため、車室１００Ａの後部からリモコン１２によって発せられた同一の光信号が後側受光部１３Ｃ及び前側受光部２２Ｃに受光されたという結果を基にして、光信号が後側受光部１３Ｃに対する指示であるとして判別でき、リモコン１２の指示を正確に判別できる。
【００４９】
また、ＣＰＵ２３は、所定時間内に前側受光部２２Ｃと後側受光部１３Ｃとの両方において光信号を受光した場合に、前側受光部２２Ｃで受光した光信号と後側受光部１３Ｃで受光した光信号とを比較するため、車室１００Ａの後部の後部座席１０２から発せられた同一の光信号が後側受光部１３Ｃ及び前側受光部２２Ｃに受光されたということを正しく判別でき、光信号が後側受光部１３Ｃに対する指示であることを正しく判別できる。
【００５０】
例えば、上述のようにメインユニット１１は、ソースキー３１が前側受光部２２Ｃに向けて操作された場合、メインモニタ２２に表示される映像を、ナビゲーション機能の映像、ラジオ放送受信に係る操作用メニュー画面、ＣＤの再生操作用メニュー画面、ＤＶＤの映像、テレビ放送の映像、ＵＳＢインターフェース部６５Ｄに接続された機器から読み取った映像、ＵＳＢインターフェース部６５Ｄに接続された機器からの音声再生に係る操作用メニュー画面、外部映像入力端子６６Ａに接続された機器から入力された映像、及び、外部音声入力端子６６Ｂに接続された機器からの音声再生に係る操作用メニュー画面の順に、切り替える。これに対し、ソースキー３１が後側受光部１３Ｃに向けて操作され、後側受光部１３Ｃが光信号を受光した場合には、リアモニタ１３に表示される映像を、ＤＶＤの映像、テレビ放送の映像、ＵＳＢインターフェース部６５Ｄに接続された機器から読み取った映像、及び、外部映像入力端子６６Ａに接続された機器から入力された映像の順に、切り替える。
【００５１】
このため、リモコン１２のソースキー３１が、リモコン１２を後側受光部１３Ｃに向けて操作された場合には、ＤＶＤの映像、テレビ放送の映像、ＵＳＢインターフェース部６５Ｄに接続された機器から読み取った映像、及び、外部映像入力端子６６Ａに接続された機器から入力された映像の４つを遷移させ、前側受光部２２Ｃに向けて操作された場合には、上記の４つの画面にナビゲーション機能の映像、ラジオ放送用メニュー画面、ＣＤの再生操作用メニュー画面、ＵＳＢ機器の音声用のメニュー画面、外部音声入力端子用メニュー画面を加えた９つの画面を遷移させる。このように、メインユニット１１は、リモコン１２の１つのキーの操作について、後側受光部１３Ｃに向けた操作か前側受光部２２Ｃに向けた操作かによって異なる動作を実行する。この切替は、操作時のリモコン１２の向きによって決定されるので、操作者である乗員は、リモコン１２の操作対象の方にリモコン１２を向けて操作を行うだけで、操作対象の切替或いは指定を行える。
さらに、後側受光部１３Ｃの受光ユニット５１にフィルタ５３を設けたため、リモコン１２によって前部座席１０１側からリアモニタ１３の背面に向けて赤外線信号が発せられたとしても、この赤外線信号はフィルタ５３によって遮断される。これにより、リモコン１２の角度によって前部座席１０１側からリアモニタ１３の背面に向けて赤外線信号が発せられたとしても、この赤外線信号を後側受光部１３Ｃが検出することはない。
【００５２】
なお、上記第１の実施の形態は本発明を適用した一態様を示すものであって、本発明は上記第１の実施の形態に限定されない。例えば、上記第１の実施の形態では、リアモニタ１３は、メインモニタ２２の後方において空間Ｋの後方に位置し、車幅方向においてはメインモニタ２２と重なるように略同一の位置に、車室１００Ａの前後方向に並んで配置されるものとして説明したが、本発明はこれに限定されるものではない。リアモニタ１３はメインモニタ２２の後方に配置されていれば良く、例えば、運転席及或いは助手席の背面において、表示画面１３Ｂが後部座席１０２側を向くように配置されても良い。また、例えば、上記第１の実施の形態では前側受光部２２Ｃがメインモニタ２２とともにメインユニット１１本体に一体として設けられ、後側受光部１３Ｃがリアモニタ１３と一体に設けられた構成を例示したが、本発明はこれに限定されるものではなく、前側受光部２２Ｃがメインモニタ２２とは別体として構成され、この前側受光部２２Ｃをメインモニタ２２の近傍に独立して、或いはメインモニタ２２から張り出すように設けてもよく、後側受光部１３Ｃがリアモニタ１３とは別体として構成され、この後側受光部１３Ｃをリアモニタ１３の近傍に独立して設置してもよいし、リアモニタ１３から張り出すように設けてもよい。
さらに、フィルタ５３は、基板５２における前部座席１０１側の面に設けられるものとして説明したが、本発明はこれに限定されるものではなく、例えば、受光ユニット５１と基板５２との間に設けられても良い。
また、車載モニタシステム１０は、ＣＤ及びＤＶＤのプレーヤーとして機能するものとして説明したが、これに限らず、車載モニタシステム１０は、ハードディスクドライブ（ＨＤＤ）やブルーレイディスク（ＢＤ）に記憶された映像データや音声データを再生するプレーヤーとして機能するものであっても良い。また、車載モニタシステム１０のその他の細部構成についても任意に変更可能であることは勿論である。
【００５３】
［第２の実施の形態］
以下、図８を参照して、本発明を適用した第２の実施の形態について説明する。この第２の実施の形態において、上記第１の実施の形態と同様に構成される部分については、同符号を付して説明を省略する。第２の実施の形態に係る車載モニタシステム１０は、上記第１の実施の形態の車載モニタシステム１０と同様に構成され、リモコン１２が操作された際の動作が、上記第１の実施の形態と異なっている。このため、第２の実施の形態では当該動作についてフローチャートを参照して説明する。
【００５４】
図８は、第２の実施の形態に係る車載モニタシステム１０の、リモコン１２が操作された際の動作を示すフローチャートである。
ＣＰＵ２３は、リモコン１２が操作され、この操作に伴う光信号が後側受光部１３Ｃによって受信されたか否かを判別する（ステップＳ４１）。
ステップＳ４１において、後側受光部１３Ｃで光信号が受信されたと判別した場合（ステップＳ４１：Ｙｅｓ）、ＣＰＵ２３は、この受信内容がリアモニタ１３に関する操作であるか否かを判別する（ステップＳ４２）。受信内容がリアモニタ１３に関する操作であると判別した場合（ステップＳ４２：Ｙｅｓ）、ＣＰＵ２３は、光信号に対応した機能を実行する制御を行い（ステップＳ４３）、リアモニタ１３の表示を変更し、処理を終了する。
光信号がリアモニタ１３に関する操作ではないと判別した場合（ステップＳ４３：Ｎｏ）、ＣＰＵ２３は、何も実行せずに処理を終了する。
【００５５】
ステップＳ４１において、後側受光部１３Ｃで光信号が受信されていないと判別した場合（ステップＳ４１：Ｎｏ）、ＣＰＵ２３は、光信号が前側受光部２２Ｃで受信したか否かを判別する（ステップＳ４４：Ｙｅｓ）。
ステップＳ４４において、前側受光部２２Ｃで光信号が受信されたと判別した場合（ステップＳ４４：Ｙｅｓ）、ＣＰＵ２３は、この受信内容がメインモニタ２２に関する操作であるか否かを判別する（ステップＳ４５）。受信内容がメインモニタ２２に関する操作であると判別した場合（ステップＳ４５：Ｙｅｓ）、ＣＰＵ２３は、光信号に対応した機能を実行する制御を行い（ステップＳ４６）、メインモニタ２２の表示を変更し、処理を終了する。
光信号がメインモニタ２２に関する操作ではないと判別した場合（ステップＳ４５：Ｎｏ）、ＣＰＵ２３は、何も実行せずに処理を終了する。
また、ステップＳ４４において、前側受光部２２Ｃで光信号が受信されていないと判別した場合（ステップＳ４４：Ｎｏ）、処理を終了する。
【００５６】
第２の実施の形態では、ステップＳ４１において後側受光部１３Ｃで光信号が受信された場合、この受信内容がリアモニタ１３に関する操作であるか否かを判別した後、この光信号に対応した機能を実行する制御を行う。すなわち、結果として、ＣＰＵ２３は、後側受光部１３Ｃで光信号が受信された場合は、前側受光部２２Ｃでの受信状態にかかわらず、光信号が後側受光部１３Ｃのみで受信されたものとして動作し、ステップＳ４１において前側受光部２２Ｃ及び後側受光部１３Ｃの両方で光信号が受信された場合は、光信号に基づいてリアモニタ１３の表示を変更する制御を実行する。また、後側受光部１３Ｃで光信号が受信されない場合、ＣＰＵ２３は、前側受光部２２Ｃで光信号が受信したか否かを判別し、前側受光部２２Ｃで受信していればメインモニタ２２の表示を変更する制御に移行する。
【００５７】
従って、ＣＰＵ２３は、車室１００Ａの後部の後部座席１０２からリモコン１２が操作され、前側受光部２２Ｃ及び後側受光部１３Ｃの両方において光信号を受光した場合、及び、後側受光部１３Ｃのみで光信号を受信した場合に、後側受光部１３Ｃに対する指示として動作する。また、ＣＰＵ２３は、車室１００Ａの前部の前部座席１０１からリモコン１２が操作され、前側受光部２２Ｃのみにより光信号を受光した場合には、前側受光部２２Ｃに対する指示として動作する。このため、メインモニタ２２及びリアモニタ１３の何れを操作するかを操作者が選択せずとも、リモコン１２によってメインモニタ２２及びリアモニタ１３を個別に操作できる。
【符号の説明】
【００５８】
１０  車載モニタシステム
１２  リモコン（リモコン装置）
１２Ａ  操作キー（操作子）
１３  リアモニタ（後部モニタ）
１３Ｃ  後側受光部
２２  メインモニタ（前部モニタ）
２２Ａ  フロントパネル
２２Ｃ  前側受光部
２３  ＣＰＵ（制御部）
５３  フィルタ（遮蔽物）
１００Ａ  車室
【図１】
2011160190.tif 000003
【図２】
2011160190.tif 000004
【図３】
2011160190.tif 000005
【図４】
2011160190.tif 000006
【図５】
2011160190.tif 000007
【図６】
2011160190.tif 000008
【図７】
2011160190.tif 000009
【図８】
2011160190.tif 000010